(57)【特許請求の範囲】
【請求項１】
上ケースと、該上ケースに内嵌する嵌合部を上端側に備えた下ケースとからなり、該下ケース内に棒状収納物の軸部を保持するためのシャンクホールド部を備えた収納ケースであって、さらに、以下の構成をも備えていることを特徴とするシャンクホールド付き収納ケース。
（１−１）  前記下ケースの嵌合部の周壁に、上端から切り込んだ嵌合部スリットを形成すると共に、外面には外へ突出する凸部を形成したこと。
（１−２）  前記シャンクホールド部は、前記嵌合部スリットと同数のシャンクホールド部スリットが上端から切れ込む様に形成され、かつ、嵌合部の内面と連結部材で連結されていること。
（１−３）  前記上ケースの内面寸法を、前記下ケースの前記凸部を含めた外面寸法よりも小さくしてあること。
（２−１）  前記凸部を、前記嵌合部の軸方向に沿って、嵌合部の根元まで伸びる突条として形成すると共に、上端の突出量を小さくしたこと。
（２−２）  前記上ケースの内面を末広がりのテーパ形状とすること。
【請求項２】
さらに、以下の構成をも備えていることを特徴とする請求項１記載のシャンクホルダ付き収納ケース。
（３−１）  前記嵌合部スリットを、前記下ケースの嵌合部の周壁を等分する様に複数本形成すること。
（３−２）  前記凸部を、前記嵌合部スリットによって等分された各周壁の外面にそれぞれ形成してあること。
（３−３）  前記シャンクホールド部スリットを、前記シャンクホールド部の周壁を等分する様に、前記嵌合部スリットと同数形成すること。
（３−４）  前記シャンクホールド部スリットによって等分された各シャンクホールド部の周壁部分を、前記嵌合部スリットによって等分された各嵌合部の周壁部分と、一対一に対応する様に前記連結部材で連結したこと。
【請求項３】
さらに、以下の構成をも備えていることを特徴とする請求項２記載のシャンクホルダ付き収納ケース。
（４−１）  前記嵌合部スリットを形成する位置と、前記シャンクホールド部スリットを形成する位置を、中心軸の周りにずれた位置関係としたこと。
【請求項４】
さらに、以下の構成をも備えていることを特徴とする請求項３記載のシャンクホルダ付き収納ケース。
（５−１）  前記嵌合部を略正方形断面とすると共に、周壁の４面に対して、１条の割合で、各面の端に偏った位置に前記嵌合部スリットを形成したこと。
（５−２）  前記シャンクホールド部を円筒形とすると共に、前記シャンクホールド部スリットを前記嵌合部の対角線の方向に形成したこと。
【発明の詳細な説明】
【技術分野】
【０００１】
本発明は、ドリルチップ等の棒状収納物を収納するための収納ケースに関するものである。 
【背景技術】
【０００２】
従来、ケース内において収納したドリルチップ等の棒状収納物ががたつかない様にした収納ケースがある（特許文献１，２）。
【０００３】
特許文献１の収納ケースは下ケースに嵌合させたシャンクホルダーにより、特許文献２の収納ケースは下ケースと一体に成形したシャンクホルダにより、それぞれドリルチップ等のシャンクをホールドできることから、ケース内でのがたつきを防止することができるという優れた効果を発揮できる。
【特許文献１】特開平１１−３２１８６５
【特許文献２】特開平１１−３２１８６８
【発明の開示】
【発明が解決しようとする課題】
【０００４】
しかしながら、特許文献１，２の収納ケースでは、シャンクホルダの内径と収納物の外径が一致する様に精度良く設計する必要があり、ホールド力をしっかりと発揮させるには、若干きつめにすることが望ましい。従って、棒状収納物の抜き差しがスムーズに行えない可能性がある。
【０００５】
そこで、本発明は、棒状収納物をシャンクホルダーへ抜き差しする際にスムーズな操作ができる様な設計をしても、ケースを閉じた際にはしっかりとホールドできてケース内でガタツクことがなく、しかも、ケースの嵌合力もしっかりと発揮できるシャンクホルダ付きケースを提供することを目的とする。
【課題を解決するための手段】
【０００６】
上記目的を達成するためになされた本発明のシャンクホルダー付き収納ケースは、上ケースと、該上ケースに内嵌する嵌合部を上端側に備えた下ケースとからなり、該下ケース内に棒状収納物の軸部を保持するためのシャンクホールド部を備えた収納ケースであって、さらに、以下の構成をも備えていることを特徴とする。
（１−１）  前記下ケースの嵌合部の周壁に、上端から切り込んだ嵌合部スリットを形成すると共に、外面には外へ突出する凸部を形成したこと。
（１−２）  前記シャンクホールド部は、前記嵌合部スリットと同数のシャンクホールド部スリットが上端から切れ込む様に形成され、かつ、嵌合部の内面と連結部材で連結されていること。
（１−３）  前記上ケースの内面寸法を、前記下ケースの前記凸部を含めた外面寸法よりも小さくしてあること。
（２−１）  前記凸部を、前記嵌合部の軸方向に沿って、嵌合部の根元まで伸びる突条として形成すると共に、上端の突出量を小さくしたこと。
（２−２）  前記上ケースの内面を末広がりのテーパ形状とすること。
【０００７】
本発明のシャンクホルダー付き収納ケースによえば、上ケースを下ケースに嵌合するとき、上ケースの内壁面が下ケースの嵌合部に形成されている凸部を内側へ押圧する。これに伴って、嵌合部の壁面が、嵌合部スリットを閉じる方向に狭まる。すると、連結部材で連結されているシャンクホールド部も、シャンクホールド部スリットを閉じる方向に狭まる。よって、シャンクホールド部に挿入した棒状収納物は、シャンクホールド部スリットが閉じることによってシャンクホールド部の内面にてしっかりとホールドされる。また、このホールド力の反力として上ケースの内面と下ケースの嵌合部とがしっかりと密着し、不用意にケースが開くのを防止する。
【０００９】
軸方向に沿って嵌合部の根元まで伸びる突条とすることで、射出成形における脱型が困難になるといった問題を排除することができる。また、上端の突出量を小さくして根元まで連続する突条とし、上ケースの内面を末広がりのテーパ形状とすることで、ケースを閉じる際に徐々に、シャンクホールド部による締め付け力を強くすることができ、ケースの開閉が困難でなく、しっかりとホールド力を発揮させるという作用を発揮することができる。なお、上端の突出量を小さくするには、上端を斜めにカットするとか、上端を半球状にしておくなどの構成を採用することができる。
【００１０】
ここで、嵌合部スリット及びシャンクホールド部スリットは１本ずつとしておいても上記作用を発揮するものの、圧力が偏り、ケースの開閉がし難くなる可能性もある。そこで、本発明において、さらに、以下の構成をも備える様にするとよい。
（３−１）  前記嵌合部スリットを、前記下ケースの嵌合部の周壁を等分する様に複数本形成すること。
（３−２）  前記凸部を、前記嵌合部スリットによって等分された各周壁の外面にそれぞれ形成してあること。
（３−３）  前記シャンクホールド部スリットを、前記シャンクホールド部の周壁を等分する様に、前記嵌合部スリットと同数形成すること。
（３−４）  前記シャンクホールド部スリットによって等分された各シャンクホールド部の周壁部分を、前記嵌合部スリットによって等分された各嵌合部の周壁部分と、一対一に対応する様に前記連結部材で連結したこと。
【００１１】
この様に、嵌合部スリット及びシャンクホールド部スリットによる分割を等分割とすることで、ケース開閉時にこじる様な力が作用することなく、容易に開閉操作をすることができる。
【００１２】
また、この場合、さらに、以下の構成をも採用することができる。
（４−１）  前記嵌合部スリットを形成する位置と、前記シャンクホールド部スリットを形成する位置を、中心軸の周りにずれた位置関係としたこと。
【００１３】
この様に、嵌合部スリットを形成する位置とシャンクホールド部スリットを形成する位置を中心軸の周りにずれた位置関係とすると、単に周囲から中心に向かって縮まるという動きだけでなく、若干周方向にも滑る様に押圧力を作用させることができ、握り込む様なホールド状態とすることができる。
【００１４】
より具体的には、以下の構成を採用すればよい。
（５−１）  前記嵌合部を略正方形断面とすると共に、周壁の４面に対して、１条の割合で、各面の端に偏った位置に前記嵌合部スリットを形成したこと。
（５−２）  前記シャンクホールド部を円筒形とすると共に、前記シャンクホールド部スリットを前記嵌合部の対角線の方向に形成したこと。
【００１５】
この様に構成することで、握り込む様なホールド状態を、バランスよく実現することができる。
【発明の効果】
【００１６】
本発明によれば、収納する棒状収納物をシャンクホルダーへ抜き差しする際にスムーズな操作ができる様な設計をしても、ケースを閉じた際にはしっかりとホールドできてケース内でガタツクことがなく、しかも、ケースの嵌合力もしっかりと発揮できるので、不用意にケースが開いてしまうということもない。
【発明を実施するための最良の形態】
【００１７】
以下、本発明の実施形態について、図面を参照しつつ説明する。第１実施形態のシャンクホルダー付き収納ケース１は、図１に示す様に、上ケース１０と、下ケース２０とからなる。下ケース２０は、図１〜図４に示す様に、本体部２１の上端に上ケース１０に対して内嵌する嵌合部２２を備えている。この嵌合部２２は、正方形の各角部を面取りした断面形状で、４つの平面部２３，２３，…と、４つの面取り部２４，２４，…とからなる。また、各面取り部２４，２４，…の一方の角に沿って上端から本体部２１まで伸びる４本のスリット２５，２５，…が形成され、一つの平面部２３と一つの面取り部２４とからなるヘの字状の４つの壁面に分割されている。さらに、各平面部２３，２３，…の外側には、各面の幅中心にそって、上端が斜めにカットされた半円形の突条２６が突設されている。
【００１８】
一方、下ケース２０の内部には、本体部２１の底から嵌合部２２の先端まで伸びる円筒状のシャンクホルダ３１が備えられている。このシャンクホルダ３１は、対角位置にある面取り部２４の幅中心を結ぶ線と交わる位置において、上端から下端まで伸びる４本のスリット３２によって、４つの円弧部分３３，３３，…に分割されている。また、各円弧部分３３，３３，…は、その幅中心から外へ向かって伸びる連結用リブ３４，３４，…により、本体部２１及び嵌合部２２と連結されている。なお、下ケース２０の底には、幅方向に伸びる１本の底部補強リブ４１も形成されている。
【００１９】
上ケース１０は、図５に示す様に、下端が突条２６間の寸法と一致する開口幅で上端にいくに従って徐々に幅の狭くなる末広がりの内壁面１１を備えている。
【００２０】
この第１実施形態において、上ケース１０を下ケース２０に嵌合させるとき、図６，図７に示す様に、上ケース１０を押し下げるに従って、下ケース２０の突条２６が上ケース１０の内壁面１１に押されることによって各平面部２３が内側へ倒れ、これに伴って、シャンクホルダ３１を構成する円弧部分３３も内側へ倒れる。これにより、シャンクホルダ３１に挿入した棒状収納物は内側へ倒れた円弧部分３３によってしっかりとホールドされる。また、このホールドによる力の反力として、下ケース２０と上ケース１０がしっかりと嵌合する。
【００２１】
この結果、シャンクホルダ３１の内径を収納物の外径よりも若干大きくしておいて出し入れを容易に設計しておいても、ケースを閉じた状態では収納物がシャンクホルダ３１の内側への倒れによってしっかりとホールドされ、ケース内でがたつくということがない。また、このとき、嵌合部２２のスリット２５は、対角線に対して若干ずれた位置に形成され、シャンクホルダ３１のスリット３２は対角線位置に形成されていることから、単に挟むだけでなく、包み込む様なホールドの仕方となり、安定性が増すことを期待できる。
【００２２】
次に、第２実施形態について説明する。第２実施形態は、図８〜図１０に示す様に、下ケース２０の嵌合部２１に対するスリットの形成方法を変更したものである。この第２実施形態では、嵌合部２１を構成する平面部２３，２３，…の内の対面する一組の平面部２３，２３について、その幅中心線に沿ってスリット２７を形成し、他の一組の平面部２３，２３について、その幅中心線に沿って外側へ突出する上端斜めカットの施された突条２６を形成してある。
【００２３】
また、シャンクホルダ３１は、嵌合部２２に設けたスリット２７，２７と重なる位置にスリット３５，３５を形成し、二つの円弧部分３６，３６に分割されている。そして、各円弧部分３６，３６は、その幅中心から外へ向かって伸びる連結用リブ３４，３４により、本体部２１及び嵌合部２２と連結されている。なお、この連結用リブ３４，３４の方向と、下ケース２０の底に形成される底部補強リブ４１と同じ方向である。なお、上ケース１０は第１実施形態と同じものを用いる。
【００２４】
この第２実施形態においても、上ケース１０を下ケース２０に嵌合させるとき、図１０に示す様に、上ケース１０を押し下げるに従って、下ケース２０の突条２６が上ケース１０の内壁面１１に押され、この突条２６が形成されている平面部２３が内側へ倒れることにより、シャンクホルダ３１を構成する円弧部分３６も内側へ倒れる。これにより、シャンクホルダ３１に挿入した棒状収納物は内側へ倒れた円弧部分３６によってしっかりとホールドされる。また、このホールドによる力の反力として、下ケース２０と上ケース１０がしっかりと嵌合する。
【００２５】
以上、本発明の一実施形態について説明したが、本発明は上述した実施の形態に限られることなく、その要旨を逸脱しない範囲内において、さらに種々の態様にて実施することができる。
【図面の簡単な説明】
【００２６】
【図１】第１実施形態のシャンクホルダー付き収納ケースの斜視図である。
【図２】第１実施形態のシャンクホルダー付き収納ケースの下ケースを示し、（Ａ）は平面図、（Ｂ）は正面図、（Ｃ）は底面図である。
【図３】第１実施形態のシャンクホルダー付き収納ケースの下ケースを示し、（Ａ）は断面位置を示す平面図、（Ｂ）ｘ−ｘ断面図、（Ｃ）ｙ−ｙ断面図である。
【図４】第１実施形態のシャンクホルダー付き収納ケースの下ケースを示し、（Ａ）は断面位置を示す平面図、（Ｂ）ｚ−ｚ断面図である。
【図５】第１実施形態のシャンクホルダー付き収納ケースの上ケースを示し、（Ａ）は平面図、（Ｂ）は正面図、（Ｃ）は縦断面図である。
【図６】第１実施形態のシャンクホルダー付き収納ケースの作用を示す説明図である。
【図７】第１実施形態のシャンクホルダー付き収納ケースの作用を示す説明図である。
【図８】第２実施形態のシャンクホルダー付き収納ケースの下ケースを示し、（Ａ）は平面図、（Ｂ）は底面図、（Ｃ）は正面図、（Ｄ）は側面図である。
【図９】第２実施形態のシャンクホルダー付き収納ケースの下ケースを示し、（Ａ）は断面位置を示す平面図、（Ｂ）ｖ−ｖ断面図、（Ｃ）ｗ−ｗ断面図である。
【図１０】第２実施形態のシャンクホルダー付き収納ケースの作用を示す説明図である。
【符号の説明】
【００２７】
１・・・シャンクホルダー付き収納ケース
１０・・・上ケース
２０・・・下ケース
２１・・・本体部
２２・・・嵌合部
２３・・・平面部
２４・・・面取り部
２５・・・スリット（嵌合部スリット）
２６・・・突条
２７・・・スリット
３１・・・シャンクホルダ
３２・・・スリット（シャンクホルダ部スリット）
３３・・・円弧部分
３４・・・連結用リブ
３５・・・スリット
３６・・・円弧部分
４１・・・底部補強リブ
【図１】
0004777742.tif 000002
【図２】
0004777742.tif 000003
【図３】
0004777742.tif 000004
【図４】
0004777742.tif 000005
【図５】
0004777742.tif 000006
【図６】
0004777742.tif 000007
【図７】
0004777742.tif 000008
【図８】
0004777742.tif 000009
【図９】
0004777742.tif 000010
【図１０】
0004777742.tif 000011